(57)【特許請求の範囲】
【請求項１】
複数の接点を有する切換スイッチ(1)と、この切換スイッチ(1)を接続しているマイコン(2)とを備え、マイコン(2)が切換スイッチ(1)から入力される電圧値で切換スイッチ(1)の切り換え位置を判定するようにしてなる切換スイッチを備える電子機器において、
前記マイコン(2)は、入力信号が”Ｈｉｇｈ”から”Ｌｏｗ”に切り換えられたことを検出してスリープ状態から動作状態に切り換えられる起動端子(6)を有し、
前記切換スイッチ(1)はスライドスイッチ(1A)で、このスライドスイッチ(1A)は、可動接点(3)と複数の固定接点(4)を備えており、可動接点(3)はアースライン(5)に接続されて、複数の固定接点(4)は、前記マイコン(2)の起動端子(6)に接続されない第１の固定接点(4A)と、マイコン(2)の起動端子(6)に接続してなる第２の固定接点(4B)とを備えており、第２の固定接点(4B)はプルアップ抵抗(7)を介して電源回路(8)に接続されて、可動接点(3)の非接触状態において”Ｈｉｇｈ”信号を入力しており、
前記スライドスイッチ(1A)の可動接点(3)が第１の固定接点(4A)から第２の固定接点(4B)に切り換えられてマイコン(2)の起動端子(6)に入力される信号が”Ｈｉｇｈ”から”Ｌｏｗ”に切り換えられると、起動端子(6)の電圧信号からマイコン(2)がスリープ状態から動作状態に切り換えられ、動作状態にあるマイコン(2)が、起動端子(6)に入力される電圧信号から切換スイッチ(1)の切り換え位置を検出するようにしてなる切換スイッチを備える電子機器。
【請求項２】
複数の接点を有する切換スイッチ(1)と、この切換スイッチ(1)を接続しているマイコン(2)とを備え、マイコン(2)が切換スイッチ(1)から入力される電圧値で切換スイッチ(1)の切り換え位置を判定するようにしてなる切換スイッチ(1)を備える電子機器において、
前記マイコン(2)は、入力信号が”Ｌｏｗ”から”Ｈｉｇｈ”に切り換えられたことを検出してスリープ状態から動作状態に切り換えられる起動端子(6)を有し、
前記切換スイッチ(1)はスライドスイッチ(1A)で、このスライドスイッチ(1A)は、可動接点(3)と複数の固定接点(4)を備えており、可動接点(3)はアースライン(5)に接続されて、複数の固定接点(4)は、前記マイコン(2)の起動端子(6)に接続してなる第１の固定接点(4A)と、マイコン(2)の起動端子(6)に接続されない第２の固定接点(4B)とを備えており、第１の固定接点(4A)はプルアップ抵抗(7)を介して電源回路(8)に接続されて、可動接点(3)の非接触状態において”Ｈｉｇｈ”信号を入力しており、
前記スライドスイッチ(1A)の可動接点(3)が第１の固定接点(4A)から第２の固定接点(4B)に切り換えられてマイコン(2)の起動端子(6)に入力される信号が”Ｌｏｗ”から”Ｈｉｇｈ”に切り換えられると、起動端子(6)の電圧信号からマイコン(2)がスリープ状態から動作状態に切り換えられ、動作状態にあるマイコン(2)が、起動端子(6)に入力される電圧信号から切換スイッチ(1)の切り換え位置を検出するようにしてなる切換スイッチを備える電子機器。
【請求項３】
前記切換スイッチ(1)のスライドスイッチ(1A)が、第１の固定接点(4A)を電源スイッチのオフ位置としている請求項１に記載される切換スイッチを備える電子機器。
【請求項４】
前記切換スイッチ(1)のスライドスイッチ(1A)が、可動接点(3)が第１の固定接点(4A)から第２の固定接点(4B)を経由して切り換えられる第３の固定接点(4C)を有し、第３の固定接点(4C)が分圧抵抗(9)を介してマイコン(2)の電圧検出端子(10)に接続されてなる請求項１に記載される切換スイッチを備える電子機器。
【発明の詳細な説明】
【技術分野】
【０００１】
本発明は、切換スイッチの切り換え位置をマイコンで判別する切換スイッチを備える電子機器に関する。
【背景技術】
【０００２】
マイコンに切換スイッチを接続している電子機器は、切換スイッチを切り換えて種々の動作状態に切り換えられる。たとえば、携帯型電子式カイロにあっては、切換スイッチを電源スイッチのオンオフとヒーターの強弱の切り換えに使用することができる。この種の電子機器は、図１に示すように、プルアップ抵抗８７を介してマイコン８２に入力する電圧を変更して、切換スイッチ８１の切り換え位置を検出することができる。この電子機器は、切換スイッチ８１の可動接点８３を第１ないし第３の固定接点８４Ａ、８４Ｂ、８４Ｃに切り換えると、マイコン８２の各々の入力端子８６に入力される電圧が変化する。しかしながら、図１に示す電子機器は、切換スイッチ８１の複数の固定接点８４の切り換え位置を検出するために、マイコン８２に複数の入力端子８６を必要とする。マイコン８２は、各々の入力端子８６に入力される電圧信号から切換スイッチ８１の切り換え位置を判別するからである。
【０００３】
図１の回路構成の欠点は、特許文献１に記載されるように、スイッチの切り換え位置で入力端子の電圧を変化させる回路構成で解消できる。スイッチの切り換え位置で電圧が変化することを利用して、切換スイッチの切り換え状態を検出できる回路の一例を図２に示す。この電子機器は、プルアップ抵抗９７と分圧抵抗９９を介してマイコン９２に入力される電圧値を変更して、切換スイッチ９１の複数の固定接点９４の切り換え位置を検出するので、マイコン９２のひとつの入力端子９６を利用して切換スイッチ９１の切り換え位置を判別できる。図２に示す回路構成の電子機器は、切換スイッチ９１の可動接点９３が、第１ないし第３の固定接点９４Ａ、９４Ｂ、９４Ｃに切り換えられるにしたがって、入力端子９６の電圧が５Ｖ、２．５Ｖ、１Ｖのように変化する。したがって、マイコン９２は、入力端子９６に入力される電圧から切換スイッチ９１の切り換え位置を判別できる。
【特許文献１】特開２００２−３１０８０７号公報
【発明の開示】
【発明が解決しようとする課題】
【０００４】
ただ、図２の回路構成の電子機器は、動作状態にあるマイコンでもって切換スイッチの切り換え位置を判別するので、マイコンをスリープ状態にできない。したがって、切換スイッチを電源スイッチに併用する回路構成にあっては、切換スイッチの電源オフの位置に切り換えても、マイコンが無駄に電力を消費する欠点がある。
【０００５】
本発明は、さらにこの欠点を解決することを目的に開発されたものである。本発明の重要な目的は、マイコンの無駄な電力消費を削減しながら、切換スイッチの切り換え位置を判別できる電子機器を提供することにある。
【課題を解決するための手段】
【０００６】
本発明の切換スイッチを備える電子機器は、前述の目的を達成するために以下の構成を備える。
本発明の請求項１の電子機器は、複数の接点を有する切換スイッチ１と、この切換スイッチ１を接続しているマイコン２とを備え、マイコン２が切換スイッチ１から入力される電圧値で切換スイッチ１の切り換え位置を判定している。マイコン２は、入力信号が”Ｈｉｇｈ”から”Ｌｏｗ”に切り換えられたことを検出してスリープ状態から動作状態に切り換えられる起動端子６を有する。切換スイッチ１は、スライドスイッチ１Ａで、このスライドスイッチ１Ａは、可動接点３と複数の固定接点４を備えている。可動接点３は、アースライン５に接続している。複数の固定接点４は、マイコン２の起動端子６に接続されない第１の固定接点４Ａと、マイコン２の起動端子６に接続している第２の固定接点４Ｂとを備えている。第２の固定接点４Ｂは、プルアップ抵抗７を介して電源回路８に接続されて、可動接点３の非接触状態において”Ｈｉｇｈ”信号を起動端子６に入力している。スライドスイッチ１Ａの可動接点３が第１の固定接点４Ａから第２の固定接点４Ｂに切り換えられてマイコン２の起動端子６に入力される信号が”Ｈｉｇｈ”から”Ｌｏｗ”に切り換えられると、起動端子６の電圧信号からマイコン２がスリープ状態から動作状態に切り換えられ、動作状態にあるマイコン２が、起動端子６に入力される電圧信号から切換スイッチ１の切り換え位置を検出する。
【０００７】
本発明の請求項２の電子機器は、複数の接点を有する切換スイッチ１と、この切換スイッチ１を接続しているマイコン２とを備え、マイコン２が切換スイッチ１から入力される電圧値で切換スイッチ１の切り換え位置を判定している。マイコン２は、入力信号が”Ｌｏｗ”から”Ｈｉｇｈ”に切り換えられたことを検出してスリープ状態から動作状態に切り換えられる起動端子６を有する。切換スイッチ１は、スライドスイッチ１Ａで、このスライドスイッチ１Ａは、可動接点３と複数の固定接点４を備えている。可動接点３は、アースライン５に接続している。複数の固定接点４は、マイコン２の起動端子６に接続している第１の固定接点４Ａと、マイコン２の起動端子６に接続されない第２の固定接点４Ｂとを備えている。第１の固定接点４Ａは、プルアップ抵抗７を介して電源回路８に接続されて、可動接点３の非接触状態において”Ｈｉｇｈ”信号を起動端子６に入力している。スライドスイッチ１Ａの可動接点３が第１の固定接点４Ａから第２の固定接点４Ｂに切り換えられてマイコン２の起動端子６に入力される信号が”Ｌｏｗ”から”Ｈｉｇｈ”に切り換えられると、起動端子６の電圧信号からマイコン２がスリープ状態から動作状態に切り換えられ、動作状態にあるマイコン２が、起動端子６に入力される電圧信号から切換スイッチ１の切り換え位置を検出する。
【０００８】
本発明の請求項３の電子機器は、切換スイッチ１のスライドスイッチ１Ａが、第１の固定接点４Ａを電源スイッチのオフ位置としている。
【０００９】
本発明の請求項４の電子機器は、切換スイッチ１のスライドスイッチ１Ａが、可動接点３を第１の固定接点４Ａから第２の固定接点４Ｂを経由して切り換えられる第３の固定接点４Ｃを有し、第３の固定接点４Ｃを、分圧抵抗９を介してマイコン２の電圧検出端子に接続している。
【発明の効果】
【００１０】
本発明の請求項１と請求項２の電子機器は、マイコンの無駄な電力消費を削減しながら、切換スイッチの切り換え位置を判別できる特徴がある。それは、切換スイッチを切り換えない状態でスリープ状態にあるマイコンが、切換スイッチが切り換えられて、マイコンの起動端子の電圧が”Ｈｉｇｈ”と”Ｌｏｗ”に切り換えられるとスリープ状態から動作状態となって、切換スイッチの切り換え位置を判別できるからである。スリープ状態にあるマイコンは”Ｈｉｇｈ”と”Ｌｏｗ”に切り換えられることを検出してスリープ状態から動作状態に切り換えられる起動端子を備えていることから、この起動端子の電圧を”Ｈｉｇｈ”と”Ｌｏｗ”に切り換えて、スリープ状態を解除して動作状態にできる。動作状態にあるマイコンは、起動端子の電圧から切換スイッチの切り換え位置を判別できる。
【００１１】
さらに、本発明の請求項３の電子機器は、切換スイッチであるスライドスイッチの第１の固定接点を電源スイッチのオフ位置としているので、スライドスイッチの可動接点を第１の固定接点に切り換える状態でマイコンをスリープ状態として、無駄な電力消費を削減できる。また、切換スイッチを電源スイッチに併用するので、ひとつの切換スイッチで電源をオンオフに切り換えながら、電子機器を複数の動作状態、たとえばヒーターの強弱などに切り換えできる特徴がある。
【００１２】
また、本発明の請求項４の電子機器は、切換スイッチであるスライドスイッチが、第１の固定接点から第２の固定接点を経由して切り換えられる第３の固定接点を有し、この第３の固定接点を分圧抵抗を介してマイコンの電圧検出端子に接続している。この回路構成の電子機器は、第１の固定接点から第２の固定接点に切り換えられて、スリープ状態から動作状態にあるマイコンに、プルアップ抵抗と分圧抵抗とで分圧された電圧信号が入力される。動作状態にあるマイコンは、入力電圧の電圧値から可動接点が第３の固定接点に切り換えられたことを判別できる。また、この回路構成は、４接点以上の切換スイッチとして、各々の固定接点に電気抵抗の異なる分圧抵抗を接続して、より多数の切り換え位置の判別が可能となる。
【発明を実施するための最良の形態】
【００１３】
以下、本発明の実施例を図面に基づいて説明する。ただし、以下に示す実施例は、本発明の技術思想を具体化するための切換スイッチを備える電子機器を例示するものであって、本発明は電子機器を以下の回路構成には特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図３と図４に示す切換スイッチを備える電子機器は、複数の接点を有する切換スイッチ１と、この切換スイッチ１を接続しているマイコン２とを備える。この電子機器は、マイコン２が切換スイッチ１から入力される電圧値で切換スイッチ１の切り換え位置を判定する。例えば、電子機器としては、リチウムイオン二次電池（図示せず）を内蔵して、ヒーターを加熱する携帯型電子式カイロが利用できる。このような電子機器は、電池からの電力供給を受けてマイコンが動作し、マイコンの指示による内蔵するオンオフのスイッチング素子（図示せず）により、ヒーター（図示せず）に通電して加温する。ここで、このような電子機器は、電源スイッチである切換スイッチがオフのときでも、定期的に電池の電圧、電流、残量等の監視が必要であるので、マイコンを動作させる必要があるが、電源スイッチである切換スイッチがオンのときのように、常に、あるいは頻繁に監視する必要がないので、マイコンをスリープ状態として、時々、監視することもできる。さらに、マイコンをスリープ状態とすることで、マイコンの消費電力を低減させ、電池の電力消費を低減することができる。
【００１６】
切換スイッチ１はスライドスイッチ１Ａである。スライドスイッチ１Ａは、可動接点３と複数の固定接点４を備えており、可動接点３を固定接点４に順番に摺動させて、可動接点３がコンタクトする固定接点４を切り換える。図３と図４の切換スイッチ１は、第１ないし第３の固定接点４を備えている。このスライドスイッチ１Ａは、第１の固定接点４Ａ、第２の固定接点４Ｂ、第３の固定接点４Ｃの順番に切り換えられる。すなわち、第１の固定接点４Ａから直接に第３の固定接点４Ｃに切り換えられることはなく、必ず第２の固定接点４Ｂに切り換えられた後、第３の固定接点４Ｃに切り換えられる。また、第３の固定接点４Ｃから第１の固定接点４Ａに切り換えられるときには、第３の固定接点４Ｃ、第２の固定接点４Ｂ、第１の固定接点４Ａの順番に切り換えられる。以上のように、切換スイッチ１は、可動接点３が往復運動するスライドスイッチ１Ａである。スライドスイッチにはロータリー式のスライドスイッチもあるが、このスライドスイッチは、第１の固定接点→第２の固定接点→第３の固定接点→第１の固定接点の順番に回転して接点を切り換えることができる。また、この反対に回転して固定接点を切り換えることもできる。
本実施例の電子機器においては、切換スイッチ１が、第１の固定接点４Ａ、第２の固定接点４Ｂ、第３の固定接点４Ｃに切り換えられたとき、マイコン２が動作して、各々、第１の状態（例えば、オフ状態）、第２の状態（例えば、カイロとして、高温にて加温、保温する状態）、第３の状態（例えば、カイロとして、低温にて加温、保温する状態）に切り換えることができる。
【００１７】
スライドスイッチ１Ａの可動接点３は、アースライン５に接続される。図３と図４の複数の固定接点４は、第１の固定接点４Ａと第２の固定接点４Ｂと第３の固定接点４Ｃを備えている。図３の切換スイッチ１であるスライドスイッチ１Ａは、第１の固定接点４Ａをマイコン２の起動端子６に接続しないオープン状態として、第２の固定接点４Ｂをプルアップ抵抗７を介して電源回路８に接続して、可動接点３が接触されない状態で”Ｈｉｇｈ”信号を起動端子６に入力している。マイコン２の起動端子６に接続されない第１の固定接点４Ａは、アースライン５に接続することができる。また、マイコン２の起動端子６以外の端子に接続することもできる。第２の固定接点４Ｂは、可動接点３の非接触状態では、プルアップ抵抗７を介して電源回路８に接続されて”Ｈｉｇｈ”となるが、可動接点３の接触状態では可動接点３を介してアースライン５に接続されて”Ｌｏｗ”となる。第３の固定接点４Ｃは、分圧抵抗９を介してマイコン２の電圧検出端子１０に接続している。図のマイコン２は、起動端子６と電圧検出端子１０をひとつの入力端子で兼用している。ただ、起動端子と電圧検出端子は、別の入力端子とすることもできる。図の電子機器は、プルアップ抵抗７と分圧抵抗９を同じ電気抵抗としているので、可動接点３が第３の固定接点４Ｃに接続される状態で、マイコン２の起動端子６（電圧検出端子１０）には電源電圧の１／２の電圧が入力される。電源電圧を５Ｖとするマイコン２にあっては、可動接点３が第３の固定接点４Ｃに接続される状態で、２．５Ｖの電圧が入力される。可動接点３が第２の固定接点４Ｂに接続される状態では、第２の固定接点４Ｂが可動接点３でアースライン５に接続されることから、マイコン２の起動端子６の電圧は０Ｖ、すなわち”Ｌｏｗ”が入力される。
【００１８】
図４の電子機器は、第１の固定接点４Ａをマイコン２の起動端子６に接続して、第２の固定接点４Ｂをマイコン２の起動端子６に接続しない。第１の固定接点４Ａは、プルアップ抵抗７を介して電源回路８に接続している。したがって、第１の固定接点４Ａは、可動接点３の非接触状態では”Ｈｉｇｈ”となり、可動接点３の接触状態では”Ｌｏｗ”となる。第３の固定接点４Ｃは、分圧抵抗９を介してマイコン２の電圧検出端子１０に接続している。
【００１９】
マイコン２は、入力信号が”Ｈｉｇｈ”から”Ｌｏｗ”に、あるいは”Ｌｏｗ”から”Ｈｉｇｈ”に切り換えられたことを検出してスリープ状態（オフ状態）から動作状態に切り換えられる起動端子６を備えている。この起動端子６は、マイコン２に内蔵されるＡ／Ｄコンバータ（図示せず）に接続されて、動作状態においては入力される電圧を検出する。図３の電子機器は、この起動端子６に第２の固定接点４Ｂを接続している。また、図４の電子機器は、起動端子６に第１の固定接点４Ａを接続している。
【００２０】
図３と図４の電子機器は、可動接点３を第１の固定接点４Ａに接続する状態を電源オフの状態として、切換スイッチ１を電源スイッチに併用している。図３の電子機器は、切換スイッチ１の可動接点３が第１の固定接点４Ａに保持されるとき、マイコン２の起動端子６に”Ｈｉｇｈ”が入力される状態に保持され、マイコン２はスリープ状態となって電力消費を少なくする。ユーザーが電子機器を使用するために、切換スイッチ１の可動接点３を第１の固定接点４Ａから第２の固定接点４Ｂに切り換えると、マイコン２の起動端子６に入力される信号は”Ｈｉｇｈ”から”Ｌｏｗ”に切り換えられる。第２の固定接点４Ｂが可動接点３でアースライン５に接続されるからである。マイコン２は、起動端子６の電圧が”Ｈｉｇｈ”から”Ｌｏｗ”に変更されたことを検出して、スリープ状態から動作状態に切り換えられる。動作状態にあるマイコン２は、起動端子６である電圧検出端子１０に入力される電圧値で、切換スイッチ１の切り換え位置を判別できる状態となる。したがって、この状態で、可動接点３が第２の固定接点４Ｂから第３の固定接点４Ｃに切り換えられて、起動端子６の電圧が”Ｌｏｗ”から電源電圧を分圧した電圧、図３においては、電源電圧の１／２の電圧が入力されることを検出して、切換スイッチ１が第３の固定接点４Ｃに切り換えられたことを判別する。
【００２１】
図４の電子機器は、切換スイッチ１の可動接点３が第１の固定接点４Ａに保持されるとき、すなわち、マイコン２の起動端子６に”Ｌｏｗ”が入力される状態で、マイコン２はスリープ状態となって電力消費を少なくする。ユーザーが電子機器を使用するために、切換スイッチ１の可動接点３を第１の固定接点４Ａから第２の固定接点４Ｂに切り換えると、マイコン２の起動端子６に入力される信号は”Ｌｏｗ”から”Ｈｉｇｈ”に切り換えられる。マイコン２の起動端子６に接続されている第１の固定接点４Ａが、アースライン５に接続されなくなるからである。マイコン２は、起動端子６の電圧が”Ｌｏｗ”から”Ｈｉｇｈ”に変更されたことを検出して、スリープ状態から動作状態に切り換えられる。動作状態にあるマイコン２は、起動端子６である電圧検出端子１０に入力される電圧値で、切換スイッチ１の切り換え位置を判別できる状態となる。したがって、この状態で、可動接点３が第２の固定接点４Ｂから第３の固定接点４Ｃに切り換えられて、起動端子６の電圧が”Ｈｉｇｈ”から電源電圧を分圧した電圧、図４においては、電源電圧の１／２の電圧が入力されることを検出して、切換スイッチ１が第３の固定接点４Ｃに切り換えられたことを判別する。
【００２２】
以上の電子機器は、切換スイッチを、第１ないし第３の固定接点を備える３接点の切換スイッチとしているが、切換スイッチは、図示しないが、４接点以上の切換スイッチとすることもできる。この電子機器は、切換スイッチの第１の固定接点と第２の固定接点の回路構成を前述の図３または図４に示す構成とすると共に、第３以降の固定接点に電気抵抗の異なる分圧抵抗を接続することにより、電圧検出端子に入力される電圧値から、第３以降の固定接点についても切り換え位置の判別が可能となる。この電子機器は、切換スイッチが第１の固定接点から第２の固定接点に切り換えることにより、マイコンがスリープ状態から動作状態になり、動作状態にあるマイコンが電圧検出端子に入力される電圧値から、第３以降の固定接点へ切り換え状態を判別する。すなわち、この回路構成によると、４接点以上の切換スイッチとして、より多数の切り換え位置を設けても、切り換え位置の判別が可能となる。
【図面の簡単な説明】
【００２３】
【図１】従来の切換スイッチを備える電子機器の一例を示す回路図である。
【図２】従来の切換スイッチを備える電子機器の他の一例を示す回路図である。
【図３】本発明の一実施例にかかる切換スイッチを備える電子機器の回路図である。
【図４】本発明の他の実施例にかかる切換スイッチを備える電子機器の回路図である。
【符号の説明】
【００２４】
１…切換スイッチ          １Ａ…スライドスイッチ
２…マイコン
３…可動接点
４…固定接点              ４Ａ…第１の固定接点
４Ｂ…第２の固定接点
４Ｃ…第３の固定接点
５…アースライン
６…起動端子
７…プルアップ抵抗
８…電源回路
９…分圧抵抗
１０…電圧検出端子
８１…切換スイッチ
８２…マイコン
８３…可動接点
８４…固定接点            ８４Ａ…第１の固定接点
８４Ｂ…第２の固定接点
８４Ｃ…第３の固定接点
８６…入力端子
８７…プルアップ抵抗
９１…切換スイッチ
９２…マイコン
９３…可動接点
９４…固定接点            ９４Ａ…第１の固定接点
９４Ｂ…第２の固定接点
９４Ｃ…第３の固定接点
９６…入力端子
９７…プルアップ抵抗
９９…分圧抵抗
【図１】
0005084565.tif 000002
【図２】
0005084565.tif 000003
【図３】
0005084565.tif 000004
【図４】
0005084565.tif 000005